(57)【要約】【課題】より需要者（利用者）の注意を惹きつけるデザインを有する写真プリント、写真プリントの製造装置、および、写真プリント作成方法を提供する。【解決手段】利用者を撮影した複数の撮影画像を含む印刷画像が写真プリント用紙に印刷された写真プリントであって、撮影画像が印刷される第１区画１１と、撮影画像が印刷される第２区画１２と、撮影画像が印刷される第３区画１３と、撮影画像が印刷される第４区画１４と、を備え、第１区画１１から第４区画１４は、ぞれぞれ矩形形状であり、第１区画から第４区画は、相互に間隙を有するように配置され、第１区画１１から第４区画１４の中には、一方の区画の辺を仮想的に延長した仮想直線ＶＬ上に、他方の区画の辺が重ならないように配置される少なくとも２つの区画が含まれている。【選択図】図５
2016045246.tif 000002
【特許請求の範囲】
【請求項１】
利用者を撮影した複数の撮影画像を含む印刷画像が写真プリント用紙に印刷された写真プリントであって、
前記撮影画像が印刷される第１区画と、
前記撮影画像が印刷される第２区画と、
前記撮影画像が印刷される第３区画と、
前記撮影画像が印刷される第４区画と、を備え、
前記第１区画から前記第４区画は、ぞれぞれ矩形形状であり、
前記第１区画から前記第４区画は、相互に間隙を有するように配置され、
前記第１区画から前記第４区画の中には、一方の前記区画の辺を仮想的に延長した仮想直線上に、他方の前記区画の辺が重ならないように配置される少なくとも２つの区画が含まれている、
写真プリント。
【請求項２】
前記写真プリント用紙は、矩形形状であり、
前記写真プリント用紙の一の辺の延びる方向に対して平行に前記各区画の一の辺が配置され、
前記写真プリント用紙の一の辺の延びる方向において、一方の前記区画の辺を仮想的に延長した仮想直線上に、他方の前記区画の辺が重ならないように配置され、かつ、
前記写真プリント用紙の前記一の辺に交差する他の辺の延びる方向において、一方の前記区画の辺を仮想的に延長した仮想直線上に、他方の前記区画の辺が重ならないように配置されている、請求項１に記載の写真プリント。
【請求項３】
前記第１区画から前記第４区画は、ぞれぞれ一対の長辺および一対の短辺を有する長方形形状であり、
前記第１区画から前記第４区画の中から選択された２つの前記区画において、
１の前記区画の前記一対の長辺が延びる方向と、他の前記区画の前記一対の長辺が延びる方向とは同じである、請求項１または請求項２に記載の写真プリント。
【請求項４】
前記第１区画から前記第４区画は、ぞれぞれ一対の長辺および一対の短辺を有する長方形形状であり、
前記第１区画から前記第４区画の中から選択された２つの前記区画において、
１の前記区画の前記一対の長辺が延びる方向と、他の前記区画の前記一対の長辺が延びる方向とは異なっている、請求項１または請求項２に記載の写真プリント。
【請求項５】
前記第１区画から前記第４区画は、ぞれぞれの前記辺の周囲を取り囲むように装飾模様が印刷され、かつ、隣接する前記区画の前記装飾模様の間にも隙間が生じるように、前記装飾模様が印刷されている、請求項１から請求項４のいずれか１項に記載の写真プリント。
【請求項６】
利用者を撮影した複数の撮影画像を含む印刷画像が写真プリント用紙に印刷された写真プリントであって、
前記写真プリント用紙は、長方形形状であり、
前記撮影画像が印刷される長方形形状の区画を有し、前記区画の短辺は前記写真プリント用紙の長辺に対して平行に配置される第１区画群と、
前記撮影画像が印刷される長方形形状の区画を有し、前記区画の長辺は前記写真プリント用紙の長辺に対して平行に配置される第２区画群と、を備え、
前記区画は、相互に間隙を有するように配置されている、
写真プリント。
【請求項７】
前記第１区画群および前記第２区画群には合計４以上の前記区画が含まれるとともに、前記区画の中には、一方の前記区画の辺を仮想的に延長した仮想直線上に、他方の前記区画の辺が重ならないように配置される少なくとも２つの区画が含まれている、
請求項６に記載の写真プリント。
【請求項８】
前記区画は、ぞれぞれの前記辺の周囲を取り囲むように装飾模様が印刷され、かつ、隣接する前記区画の前記装飾模様の間にも隙間が生じるように、前記装飾模様が印刷され、
前記装飾模様の向きに合わせて、前記撮影画像の向きが合せられている、
請求項７に記載の写真プリント。
【請求項９】
前記第１区画群に含まれる前記区画に印刷される前記撮影画像の向きに対して、
前記第２区画群に含まれる前記区画に印刷される前記撮影画像の向きは、左方向または右方向に９０度回転している、
請求項６から請求項８のいずれか１項に記載の写真プリント。
【請求項１０】
利用者を撮影した画像を用いた撮影画像を含む印刷画像を矩形形状の写真プリント用紙に印刷する写真プリント作成装置であって、
利用者を撮影した画像を用いて前記撮影画像を生成する手段と、
前記撮影画像が印刷される第１区画と、前記撮影画像が印刷される第２区画と、前記撮影画像が印刷される第３区画と、前記撮影画像が印刷される第４区画とが規定される画像配置区画規定手段と、
複数の前記撮影画像を、前記第１区画から前記第４区画内に配列して前記印刷画像を生成する手段と、
前記印刷画像を、前記写真プリント用紙に印刷する手段と、
を備え、
前記第１区画から前記第４区画は、ぞれぞれ矩形形状であり、
前記第１区画から前記第４区画は、ぞれぞれ間隙を有するように配置され、
前記第１区画から前記第４区画の中から選択される少なくとも２つの区画の各辺は、一方の前記区画の辺を仮想的に延長した仮想直線上に、他方の前記区画の辺が重ならないように配置されている、
写真プリントの製造装置。
【請求項１１】
利用者を撮影した画像を用いた撮影画像を含む印刷画像を矩形形状の写真プリント用紙に印刷する写真プリント作成方法であって、
利用者を撮影した画像を用いて撮影画像を生成するステップと、
前記撮影画像が印刷される第１区画と、前記撮影画像が印刷される第２区画と、前記撮影画像が印刷される第３区画と、前記撮影画像が印刷される第４区画とが規定される画像配置区画規定ステップと、
複数の前記撮影画像を、前記第１区画から前記第４区画内に配列して印刷画像を生成するステップと、
前記印刷画像を、前記写真プリント用紙に印刷するステップと、
を備え、
前記第１区画から前記第４区画は、ぞれぞれ矩形形状であり、
前記第１区画から前記第４区画は、ぞれぞれ間隙を有するように配置され、
前記第１区画から前記第４区画の中から選択される少なくとも２つの区画の各辺は、一方の前記区画の辺を仮想的に延長した仮想直線上に、他方の前記区画の辺が重ならないように配置されている、
写真プリント作成方法。
【発明の詳細な説明】
【技術分野】
【０００１】
この発明は、写真プリント、写真プリントの製造装置、および、写真プリント作成方法に関する。
【背景技術】
【０００２】
写真撮影ブースにおいて、利用者が自らを含む被写体を撮影し、撮影された画像に好みのフレーム、おえかきと称する文字図柄の描画、背景を画像合成し、合成画像をシールプリントとして印刷出力する写真プリント作成装置（写真撮影ブース付きプリント自動販売機）が知られている。このような、写真プリント、写真プリントの製造装置、および、写真プリント作成方法は、たとえば、特開２００３−０６１０１６号公報（特許文献１）および特開２０１０−１７７９８７号公報（特許文献２）に開示されている。
【先行技術文献】
【特許文献】
【０００３】
【特許文献１】特開２００３−０６１０１６号公報
【特許文献２】特開２０１０−１７７９８７号公報
【発明の概要】
【発明が解決しようとする課題】
【０００４】
上記特許文献１および特許文献２においては、写真プリント作成装置で作成された写真プリントは、撮影した複数の利用者で分けることが想定されていることから、印刷された矩形形状の印刷画像の区画に沿って切り取り易くするように、印刷画像は規則正しく配置されている。
【０００５】
しかし、近年は、写真プリントに対して、切り分けるよりも、一枚のデザインシートとして用いられる傾向にあり、写真プリントへの印刷のデザイン性の向上が重要となってきている。
【０００６】
したがって、本発明の目的は、より需要者（利用者）の注意を惹きつけるデザインを有する写真プリント、写真プリントの製造装置、および、写真プリント作成方法を提供することにある。
【課題を解決するための手段】
【０００７】
この発明に基づいた写真プリントの一の局面においては、利用者を撮影した複数の撮影画像を含む印刷画像が写真プリント用紙に印刷された写真プリントであって、上記撮影画れる第１区画と、上記撮影画像が印刷される第２区画と、上記撮影画像が印刷される第３区画と、上記撮影画像が印刷される第４区画とを備え、上記第１区画から上記第４区画は、ぞれぞれ矩形形状であり、上記第１区画から上記第４区画は、相互に間隙を有するように配置され、上記第１区画から上記第４区画の中には、一方の上記区画の辺を仮想的に延長した仮想直線上に、他方の上記区画の辺が重ならないように配置される少なくとも２つの区画が含まれている。
【０００８】
他の形態では、上記写真プリント用紙は、矩形形状であり、上記写真プリント用紙の一の辺の延びる方向に対して平行に上記各区画の一の辺が配置され、上記写真プリント用紙の一の辺の延びる方向において、一方の上記区画の辺を仮想的に延長した仮想直線上に、他方の上記区画の辺が重ならないように配置され、かつ、上記写真プリント用紙の上記一の辺に交差する他の辺の延びる方向において、一方の上記区画の辺を仮想的に延長した仮想直線上に、他方の上記区画の辺が重ならないように配置されている。
【０００９】
他の形態では、上記第１区画から上記第４区画は、ぞれぞれ一対の長辺および一対の短辺を有する長方形形状であり、上記第１区画から上記第４区画の中から選択された２つの上記区画において、１の上記区画の上記一対の長辺が延びる方向と、他の上記区画の上記一対の長辺が延びる方向とは同じである。
【００１０】
他の形態では、上記第１区画から上記第４区画は、ぞれぞれ一対の長辺および一対の短辺を有する長方形形状であり、上記第１区画から上記第４区画の中から選択された２つの上記区画において、１の上記区画の上記一対の長辺が延びる方向と、他の上記区画の上記一対の長辺が延びる方向とは異なっている。
【００１１】
他の形態では、上記第１区画から上記第４区画は、ぞれぞれの上記辺の周囲を取り囲むように装飾模様が印刷され、かつ、隣接する上記区画の上記装飾模様の間にも隙間が生じるように、上記装飾模様が印刷されている。
【００１２】
この発明に基づいた写真プリントの他の局面においては、利用者を撮影した複数の撮影画像を含む印刷画像が写真プリント用紙に印刷された写真プリントであって、上記写真プリント用紙は、長方形形状であり、上記撮影画像が印刷される長方形形状の区画を有し、上記区画の短辺は上記写真プリント用紙の長辺に対して平行に配置される第１区画群と、上記撮影画像が印刷される長方形形状の区画を有し、上記区画の長辺は上記写真プリント用紙の長辺に対して平行に配置される第２区画群とを備え、上記区画は、相互に間隙を有するように配置されている。
【００１３】
他の形態では、上記第１区画群および上記第２区画群には合計４以上の上記区画が含まれるとともに、上記区画の中には、一方の上記区画の辺を仮想的に延長した仮想直線上に、他方の上記区画の辺が重ならないように配置される少なくとも２つの区画が含まれている。
【００１４】
他の形態では、上記区画は、ぞれぞれの上記辺の周囲を取り囲むように装飾模様が印刷され、かつ、隣接する上記区画の上記装飾模様の間にも隙間が生じるように、上記装飾模様が印刷され、上記装飾模様の向きに合わせて、上記撮影画像の向きが合せられている。
【００１５】
他の形態では、上記第１区画群に含まれる上記区画に印刷される上記撮影画像の向きに対して、上記第２区画群に含まれる上記区画に印刷される上記撮影画像の向きは、左方向または右方向に９０度回転している。
【００１６】
この発明に基づいた写真プリントの製造装置においては、利用者を撮影した画像を用いた撮影画像を含む印刷画像を矩形形状の写真プリント用紙に印刷する写真プリント作成装置であって、利用者を撮影した画像を用いて上記撮影画像を生成する手段と、上記撮影画像が印刷される第１区画と、上記撮影画像が印刷される第２区画と、上記撮影画像が印刷される第３区画と、上記撮影画像が印刷される第４区画とが規定される画像配置区画規定手段と、複数の上記撮影画像を、上記第１区画から上記第４区画内に配列して上記印刷画像を生成する手段と、上記印刷画像を、上記写真プリント用紙に印刷する手段と、を備え、上記第１区画から上記第４区画は、ぞれぞれ矩形形状であり、上記第１区画から上記第４区画は、ぞれぞれ間隙を有するように配置され、上記第１区画から上記第４区画の中から選択される少なくとも２つの区画の各辺は、一方の上記区画の辺を仮想的に延長した仮想直線上に、他方の上記区画の辺が重ならないように配置されている。
【００１７】
この発明に基づいた写真プリント作成方法においては、利用者を撮影した画像を用いた撮影画像を含む印刷画像を矩形形状の写真プリント用紙に印刷する写真プリント作成方法であって、利用者を撮影した画像を用いて撮影画像を生成するステップと、上記撮影画像が印刷される第１区画と、上記撮影画像が印刷される第２区画と、上記撮影画像が印刷される第３区画と、上記撮影画像が印刷される第４区画とが規定される画像配置区画規定ステップと、複数の上記撮影画像を、上記第１区画から上記第４区画内に配列して印刷画像を生成するステップと、上記印刷画像を、上記写真プリント用紙に印刷するステップと、を備え、上記第１区画から上記第４区画は、ぞれぞれ矩形形状であり、上記第１区画から上記第４区画は、ぞれぞれ間隙を有するように配置され、上記第１区画から上記第４区画の中から選択される少なくとも２つの区画の各辺は、一方の上記区画の辺を仮想的に延長した仮想直線上に、他方の上記区画の辺が重ならないように配置されている。
【発明の効果】
【００１８】
この発明によれば、より需要者（利用者）の注意を惹きつけるデザインを有する写真プリント、写真プリントの製造装置、および、写真プリント作成方法を提供することを可能にする。
【図面の簡単な説明】
【００１９】
【図１】実施の形態１における写真プリント作成装置を示す第１斜視図である。
【図２】実施の形態１における写真プリント作成装置を示す第２斜視図である。
【図３】実施の形態１における写真プリント作成装置の機能ブロックを示す図である。
【図４】実施の形態１における写真プリント作成装置における作成方法の全体フローを示す図である。
【図５】実施の形態１における写真プリント用紙の印刷画像が印刷される予定の区画を示す図であり、（Ａ）は平面図、（Ｂ）は正面図、（Ｃ）は左側面図である。
【図６】実施の形態１における写真プリント用紙の印刷画像が印刷される他の予定の区画を示す図であり、（Ａ）は平面図、（Ｂ）は正面図、（Ｃ）は左側面図である。
【図７】実施の形態１における写真プリント用紙の印刷画像が印刷される他の予定の区画を示す図であり、（Ａ）は平面図、（Ｂ）は正面図、（Ｃ）は左側面図である。
【図８】実施の形態２における写真プリントの利用者の撮影画像を除く写真プリントの状態を示す図である。
【図９】実施の形態２における写真プリントの各区画に撮影画像をはめ込んだ、実際の印刷画像が印刷された写真プリントの状態を示す図である。
【図１０】実施の形態３における写真プリントの利用者の撮影画像を除く写真プリントの状態を示す図である。
【図１１】実施の形態３における写真プリントの各区画に撮影画像をはめ込んだ、実際の印刷画像が印刷された写真プリントの状態を示す図である。
【図１２】実施の形態４における写真プリントの利用者の撮影画像を除く写真プリントの状態を示す図である。
【図１３】実施の形態４における写真プリントの各区画に撮影画像をはめ込んだ、実際の印刷画像が印刷された写真プリントの状態を示す図である。
【図１４】実施の形態５における写真プリントの状態を示す図である。
【図１５】実施の形態６における写真プリントの状態を示す図である。
【図１６】実施の形態７における写真プリントの状態を示す図である。
【図１７】実施の形態８における写真プリントの状態を示す図である。
【図１８】実施の形態９における写真プリントの状態を示す図である。
【図１９】実施の形態１０における写真プリントの状態を示す図である。
【図２０】実施の形態１１における写真プリントの状態を示す図である。
【図２１】実施の形態１２における写真プリントの状態を示す図である。
【図２２】実施の形態１３における写真プリントの状態を示す図である。
【図２３】実施の形態１４における写真プリントの状態を示す図である。
【図２４】実施の形態１から１３における写真プリントの印刷およびシート排出方向を示す模式図である。
【図２５】実施の形態１４における写真プリントの印刷およびシート排出方向を示す模式図である。
【発明を実施するための形態】
【００２０】
本発明に基づいた各実施の形態における写真プリント作成装置、写真プリント作成方法、および、写真プリントについて、以下、図を参照しながら説明する。以下に説明する各実施の形態において、個数、量などに言及する場合、特に記載がある場合を除き、本発明の範囲は必ずしもその個数、量などに限定されない。同一の部品、相当部品に対しては、同一の参照番号を付し、重複する説明は繰り返さない場合がある。各実施の形態における構成を適宜組み合わせて用いることは当初から予定されていることである。
【００２１】
［実施の形態１］
（写真プリント作成装置１）
図１および図２を参照して、本実施の形態における写真プリント作成装置１の概略構成について説明する。図１は、本実施の形態における写真プリント作成装置１を示す第１斜視図（正面、右側面、平面）、図２は、本実施の形態における写真プリント作成装置１を示す第２斜視図（正面、左側面、平面）である。
【００２２】
この写真プリント作成装置（写真撮影ブース付きプリント自動販売機）１は、事前接客装置（シール自動販売機用事前利用者操作機）２０１、撮影装置（シール自動販売機用撮影機）３００、画像編集装置（写真シール自動販売機用画像編集加工印刷機）４００、および、事後接客装置（シール自動販売機用事後利用者操作機）５００を備える。
【００２３】
事前接客装置２０１は、コイン投入口２１０、操作モニタ２２０、および、スピーカ２３０を有する。撮影装置３００は、撮影用カメラ３１０、操作モニタ３２０、および、照明器具３３０、３４０を有する。画像編集装置４００は、操作モニタ４１０およびタッチペン４２０を有する。事後接客装置５００は、操作モニタ５１０および写真シール受取口５２０を有する。
【００２４】
（写真プリント作成装置１の機能ブロック）
図３を参照して、本実施の形態の写真プリント作成装置１の機能ブロックについて説明する。図３は、写真プリント作成装置１の機能ブロックを示す図である。
【００２５】
写真プリント作成装置１は、写真プリント作成装置１の全体を制御するコンピュータ装置１００１と、動作中のコンピュータ装置１００１からの指示を受け付けて、接続されている各種装置を制御する制御基板１００２と、クロマキーキャプチャボード１０１７とを備える。これらは写真プリント作成装置１の制御装置１０００として機能する。制御装置１０００は撮影装置３００、または、画像編集装置４００に搭載されてもよい。
【００２６】
コンピュータ装置１００１は、ＣＰＵ（Ｃｅｎｔｒａｌ  Ｐｒｏｃｅｓｓｉｎｇ  Ｕｎｉｔ）１００３と、ＨＤＤ（Ｈａｒｄ  Ｄｉｓｋ  Ｄｒｉｖｅ）１００４と、メモリ１００５と、通信部１００６とを備える。ＣＰＵ１００３は、メモリ１００５に記憶されたプログラムを実行して、コンピュータ装置１００１を制御する。
【００２７】
制御プログラムは、コンピュータ装置１００１にインストールされることにより、ＨＤＤ１００４に格納される。メモリ１００５は、コンピュータ装置１００１のメインメモリであり、ＣＰＵ１００３により実行される制御プログラムの一時的な作業領域として用いられる。
【００２８】
本実施の形態では、ＣＰＵ１００３が制御プログラムを実行することにより、制御基板１００２が発光制御部１１００を介して、照明器具３３０、３４０の発光を制御する。
【００２９】
ＨＤＤ１００４は、写真プリント作成装置１に所定の処理を実行させるための制御プログラム、処理に必要なグラフィックデー夕、音声デー夕、生成された合成画像を示す合成画像デー夕、予め用意された複数のフレーム画像、複数のスタンプ画像等の各種画像デー夕、予め用意された複数の背景画像を示す背景画像データ、予め用意された複数のシートデザインを示すシートデザイン画像等を記憶する。
【００３０】
通信部１００６は、インターネット等のネットワークを介して図示しないサーバと通信する。
【００３１】
コンピュータ装置１００１は、事前接客装置２０１での事前接客処理を実行する。コンピュータ装置１００１は、制御プログラムを実行し、デモ映像、名前入力画面などを受付用の操作モニタ（受付用ディスプレイ）２２０に表示する。
【００３２】
スピーカ２３０は、コンピュータ装置１００１から与えられる指示信号に基づいて、案内音声、ＢＧＭなどを出力する。
【００３３】
コンピュータ装置１００１は、撮影装置３００での写真画像生成処理を実行する。コンピュータ装置１００１は、制御プログラムを実行し、必要に応じて操作モニタ（正面ディスプレイ）３２０を介して入力されたユーザの操作に応じて、制御信号を制御基板１００２に送信する。
【００３４】
制御基板１００２は、撮影タイミングにおいて、発光制御部１１００により照明器具３３０、３４０を発光モードに応じて充電し発光させる。スピーカ（図示せず）は、コンピュータ装置１００１から与えられる指示信号に基づいて、撮影プレイのための操作方法などの案内、ＢＧＭなどを出力する。
【００３５】
クロマキーキャプチャボード１０１７は、撮影用カメラ３１０で撮影されている映像（被写体映像）を所定の時間間隔（たとえば３０フレーム／秒）でデジタルデータ（静止画像）として取り込む。クロマキーキャプチャボード１０１７は、取り込んだ静止画像の中からクロマキー技術により利用者（被写体）以外の領域を検知する。コンピュータ装置１００１は、利用者映像の顔部分に画像処理を施し、所定の画像サイズとなるように利用者映像をトリミングする。これにより、利用者を撮影した画像を用いた撮影画像が生成される。また、被写体以外の領域に選択された所望の背景画像を合成する。
【００３６】
コンピュータ装置１００１は、画像編集処理を実行する。コンピュータ装置１００１は制御プログラムを実行し、編集用の操作モニタ（編集用ディスプレイ）４１０およびタッチペン４２０を用いた入力操作に応じて、制御信号を制御基板１００２に送信する。コンピュータ装置１００１は、操作モニタ４１０と接続され、それらを制御する。
【００３７】
操作モニタ４１０は、タッチペン４２０等の接触を検知し、それに応じた指示信号をコンピュータ装置１００１に送信する。操作モニタ４１０は、コンピュータ装置１００１から送信された編集画像（落書き画像）を写真画像上に重ねて表示する。
【００３８】
本実施の形態では、撮影画像が印刷される第１区画と、撮影画像が印刷される第２区画と、撮影画像が印刷される第３区画と、撮影画像が印刷される第４区画、撮影画像が印刷される第５区画、および、撮影画像が印刷される第６区画が規定される（画像配置区画規定ステップ）。各区画に利用者を撮影した画像を用いた撮影画像が配列される。なお、区画の数量は、２以上であれば良いが、好ましくは、４以上が好ましい。４枚以上であれば、後述するように、区画の配置のレイアウトにおけるデザイン性の向上をより明確にすることが可能になるからである。
【００３９】
スピーカ（図示省略）は、コンピュータ装置１００１から与えられる指示信号に基づいて、編集プレイのための操作方法などの案内、ＢＧＭなどを出力する。
【００４０】
コンピュータ装置１００１は、通信部１００６により、インターネット等のネットワークを介して図示しないサーバと通信する。写真プリント作成装置１で生成された画像を利用者の携帯端末にサーバ経由で提供可能にする。これにより、利用者はユーザ端末に写真画像、合成画像を取得できる。
【００４１】
コンピュータ装置１００１は、利用者の要求に応じて生成された合成画像および印刷画像を取得するのに必要なアクセス情報（たとえばＵＲＬ）を、非接触通信装置を介してユーザの携帯端末に送信してもよい。
【００４２】
コンピュータ装置１００１は、プリンタ６００と接続され、プリンタに対して印刷指示を送信し、印刷すべき印刷画像を送信する。プリンタは、印刷すべき印刷画像の受信を完了したとき、印刷指示に応じて印刷を開始する。
【００４３】
制御基板１００２は、コンピュータ装置１００１の他に、蛍光灯、コイン制御部、およびサービスパネルに接続される。
【００４４】
（写真プリントの作成フロー）
図４を参照して、本実施の形態における写真プリント作成装置を用いた写真プリントの作成フローを説明する。図４は、本実施の形態における写真プリント作成装置１における作成方法の全体フローを示す図である。
【００４５】
写真プリント作成装置１は、プレイの開始時に事前接客装置２０１において事前接客処理として受付処理を行なう。受付処理では、写真画像の生成条件処理、背景選択処理が行なわれる（ステップＳ１０）。写真プリント作成装置１は、撮影装置３００において、利用者（プレイヤ）を被写体として複数回撮影し複数の撮影画像を生成する（ステップＳ２０）。撮影画像には、利用者の上半身が撮影された写真画像（アップ画像）、利用者の全身が撮影された写真画像（全身画像）が含まれ、いずれか一方、または、両方を撮影する。一例として、アップ画像を４回撮影し、全身画像を２回撮影する。なお、これらの回数は適宜変更され、アップ画像を３回撮影し、全身画像を３回撮影してもよい。
【００４６】
写真プリント作成装置１は、写真撮影後、画像編集装置４００において、撮影装置３００において利用者を撮影した撮影画像に、利用者が選択したフレーム画像、背景画像を合成し、その後、選択した明るさや目の大きさ等の画像処理を行ない処理画像を形成し、さらに、らくがき処理（ステップＳ３０）の受付処理を行なった後、処理画像に、画像編集装置４００で利用者が行なったらくがき処理で入力した「編集画像」を合成し、「合成画像」を生成する写真画像合成処理を行なう（ステップＳ４０）。
【００４７】
生成した合成画像を所定のレイアウトに配置した複数のレイアウトを利用者に提示してレイアウトの選択を受け付け（ステップＳ５０）、選択を受け付けたレイアウトにしたがって合成画像を配置して、シートデザイン画像に合成画像が組み込まれた印刷画像を生成する印刷画像処理を行なう（ステップＳ６０）。
【００４８】
なお、本実施の形態では、撮影画像が印刷される第１区画と、撮影画像が印刷される第２区画と、撮影画像が印刷される第３区画と、撮影画像が印刷される第４区画、撮影画像が印刷される第５区画、および、撮影画像が印刷される第６区画が規定される（画像配置区画規定ステップ）。各区画に利用者を撮影した画像を用いた撮影画像が配列される。また、各区画の辺の周囲を取り囲むように装飾模様が印刷され、かつ、隣接する区画の装飾模様の間にも隙間が生じるように、装飾模様が印刷される。
【００４９】
なお、上記合成画像の中には、らくがき処理で入力した編集画像が合成されていない処理画像も含まれるものとする。以下の説明において用いる合成画像も同様である。
【００５０】
写真プリント作成装置１は、プリンタを用いて、写真プリント用紙に印刷画像を印刷し、その写真プリントを、事後接客装置５００の写真シール受取口５２０から排出する（ステップＳ７０）。さらに、写真プリント作成装置１は、サーバを介して合成画像を利用者の所有する端末に送信する。
【００５１】
ここで、写真プリント用紙に印刷する印刷画像としての合成画像を作成する場合、通常、利用者を撮影した複数の撮影画像に対して、撮影画像の後方にレイアウトされる背景画像、撮影画像の前方にレイアウトされるフレーム画像、撮影画像を元に明るさや目の大きさ、脚の長さ等の処理が施された処理画像が形成される。さらに、利用者によるらくがき等の編集画像が合成されて、合成画像（印刷画像）が作成される。なお、後述する各区画の周囲を取り囲むように設けられる装飾模様は、本実施の形態では、フレーム画像に設けられている。
【００５２】
また、本実施の形態では、撮影画像には、処理画像を含む撮影画像、および、処理画像を含まない撮影画像のいずれをも含むものとする。
【００５３】
なお、本実施の形態では、装飾画像としては、背景画像、フレーム画像、および、編集画像が含まれるが、撮影画像および処理画像以外に、他の画像を含む場合には、その画像も装飾画像に含まれる。
【００５４】
さらに、編集画像の中でも、そのまま合成する画像と、合成しない画像とが存在してもよい。たとえば、利用者の顔などに装飾する画像（リップやチークなどのメイクツール、メガネやヒゲなどの変装ツール）はそのまま合成し、背景画像やフレーム画像は、合成しない処理を行なってもよい。
【００５５】
したがって、本実施の形態においては、背景画像、フレーム画像、および、編集画像の少なくとも１つの画像を用いない場合や、少なくとも１つの画像が異なっている場合には、装飾画像が異なっているといえる。
【００５６】
［合成画像（印刷画像）および写真プリント］
次に、図５から図７を参照して、写真プリント作成装置１を用いて作成された本実施の形態における印刷画像および写真プリントについて説明する。図５は、写真プリント用紙の印刷画像が印刷される予定の区画を示す図であり、（Ａ）は平面図、（Ｂ）は正面図、（Ｃ）は左側面図である。また、図６および図７は、本実施の形態における写真プリント用紙の印刷画像が印刷される他の予定の区画を示す図であり、いずれも、（Ａ）は平面図、（Ｂ）は正面図、（Ｃ）は左側面図である。
【００５７】
図５を参照して、本実施の形態における写真プリント用紙１１Ａは、一対の長辺１１１と一対の短辺１１２とを有する左右に延びる長方形形状である。
【００５８】
この写真プリント用紙１１Ａは、利用者を撮影した画像を用いた合成画像が印刷される予定の第１区画１１、第２区画１２、第３区画１３、第４区画１４、第５区画１５、および、第６区画１６が規定されている。
【００５９】
第１区画１１は、一対の短辺１１ａ，１１ｃと一対の長辺１１ｂ，１１ｄとを有する長方形形状である。第２区画１２は、一対の短辺１２ａ，１２ｃと一対の長辺１２ｂ，１２ｄとを有する長方形形状である。第３区画１３は、一対の短辺１３ａ，１３ｃと一対の長辺１３ｂ，１３ｄとを有する長方形形状である。第４区画１４は、一対の短辺１４ａ，１４ｃと一対の長辺１４ｂ，１４ｄとを有する長方形形状である。第５区画１５は、一対の短辺１５ａ，１５ｃと一対の長辺１５ｂ，１５ｄとを有する長方形形状である。第６区画１６は、一対の短辺１６ａ，１６ｃと一対の長辺１６ｂ，１６ｄとを有する長方形形状である。
【００６０】
写真プリント用紙１１Ａにおいては、第１区画１１から第６区画１６は、いずれも短辺と長辺との長さの比は同じ長方形形状である。第１区画１１、第２区画１２、第６区画１６は、それぞれの長辺１１ｂ，１１ｄ，１２ｂ，１２ｄ，１６ｂ，１６ｄは、写真プリント用紙１１Ａの短辺１１２と平行に配置されている。一方、第３区画１３、第４区画１４、第５区画１５は、それぞれの長辺１３ｂ，１３ｄ，１４ｂ，１４ｄ，１５ｂ，１５ｄは、写真プリント用紙１１Ａの長辺１１１と平行に配置されている。なお、各区画中に示す矢印は、後に印刷される利用者の頭部（顔）側が位置する方向を意味している。
【００６１】
ここで、第１区画１１から第６区画１６の配置においては、それぞれ隣接する区画との間に十分な間隙を有するように配置されている。また、第１区画１１から第６区画１６の中には、一方の上記区画の辺を仮想的に延長した仮想直線上に、他方の上記区画の辺が重ならないように配置される少なくとも２つの区画が含まれている。
【００６２】
（第１区画１１と第２区画１２）
ここで、一例として、第１区画１１と第２区画１２との場合について説明する。第１区画１１と第２区画１２との間において、写真プリント用紙１１Ａの長辺１１１の延びる方向（図中矢印Ｘ方向）に沿って位置する第１区画１１の短辺１１ａ，１１ｃと第２区画１２の短辺１２ａ，１２ｃとは、仮想直線ＶＬ上に存在しないように配置されている。
【００６３】
より具体的には、一方の第１区画１１の短辺１１ａ，１１ｃをそのまま延長した場合の仮想直線ＶＬ上（図中の点線）に、他方の第２区画１２の短辺１２ａ，１２ｃが重ならないように配置されている。以下の説明においても同様である。
【００６４】
また、第１区画１１と第２区画１２とにおいては、写真プリント用紙１１Ａの短辺１１１２の延びる方向（図中矢印Ｙ方向）に沿って位置する第１区画１１の長辺１１ｂ，１１ｄと第２区画１２の長辺１２ｂ，１２ｄとは、仮想直線ＶＬ上に存在しないように配置されている。
【００６５】
より具体的には、一方の第１区画１１の長辺１１ｂ，１１ｄをそのまま延長した場合の仮想直線ＶＬ上（図中の点線）に、他方の第２区画１２の長辺１２ｂ，１２ｄが重ならないように配置されている。以下の説明においても同様である。
【００６６】
また、他の２つの区画の関係として、第１区画１１を主として見た場合には、第１区画１１と第３区画１３との関係、第１区画１１と第４区画１４との関係、第１区画１１と第５区画１５との関係、および、第１区画１１と第６区画１６との関係、のいずれの関係においても、２つの区画の各辺は、一方の区画の辺を仮想的に延長した仮想直線上に、他方の区画の辺が重ならないように配置されている。
【００６７】
また、他の２つの区画の関係として、第２区画１２を主として見た場合、第３区画１３を主として見た場合（第４区画１４との関係を除く）、第４区画１４を主として見た場合（第３区画１３との関係を除く）、第５区画１５を主として見た場合、および、第６区画１６を主として見た場合のいずれの場合においても、２つの区画の各辺は、一方の区画の辺を仮想的に延長した仮想直線上に、他方の区画の辺が重ならないように配置されている。
【００６８】
なお、図５に示す区画の配置においては、第１区画１１、第２区画１２、および、第６区画１６は、それぞれの区画の短辺１１ａ，１１ｃ，１２ａ，１２ｃ，１６ａ，１６ｃが、写真プリント用紙１１Ａの長辺１１１に対して平行に配置される第１区画群に属し、第３区画１３、第４区画１４、および、第５区画１５は、それぞれの区画の長辺１３ｂ，１１３ｄ，１４ｂ，１４ｄ，１５ｂ，１５ｄが、写真プリント用紙１１Ａの長辺１１１に対して平行に配置される第２区画群に属している。
【００６９】
以下、区画の短辺が写真プリント用紙の長辺に対して平行に配置される区画を、第１区画群に属すると称し、区画の長辺が写真プリント用紙の長辺に対して平行に配置される区画を、第２区画群に属すると称する。
【００７０】
なお、上記においては、利用者を撮影した画像を用いた合成画像が印刷される予定の区画として、６カ所の区画を設ける場合について説明しているが、図６に示すように、第１区画１１、第２区画１２、第３区画１３、および、第４区画１４の、４カ所の区画を設ける配置でもよい。この場合、第１区画１１および第２区画１２が、第１区画群に属し、第３区画１３および第４区画１４が、第２区画群に属する。
【００７１】
さらに、図７に示すように、第３区画１３、第４区画１４、第５区画１５、および、第６区画１６の、４カ所の区画を設ける配置でもよい。この場合、第６区画１６が、第１区画群に属し、第３区画１３、第４区画１４、および、第５区画１５が、第２区画群に属する。また、５カ所に区画を設けてよいし、７以上の区画を設けるようにしてもよい。
【００７２】
［実施の形態２］
次に、図８および図９を参照して、本実施の形態における写真プリント１１０について説明する。図８は、本実施の形態における写真プリント１１０の利用者の撮影画像を除く写真プリント１１０の状態を示す図であり、図９は、本実施の形態における写真プリント１１０の各区画に撮影画像をはめ込んだ、実際の印刷画像が印刷された写真プリントの状態を示す図である。
【００７３】
第１区画１１から第６区画１６において、各区画のぞれぞれの辺の周囲を取り囲むように装飾模様Ｍ１が印刷されている。本実施の形態においては、装飾模様Ｍ１として、スマートフォンをデザインした模様が施されている。さらに、隣接する区画の装飾模様Ｍ１の間にも隙間が生じるように、装飾模様Ｍ１が印刷されている。さらに、装飾模様Ｍ１の間の余白部分には、らくがき文字Ｍ２，Ｍ３が、印刷されている。
【００７４】
図９に、各区画に利用者を撮影した撮影画像をはめ込んだ、実際の印刷画像が印刷された写真プリント１１０の状態を示す。第１区画１１から第６区画１６には、それぞれ撮影画像Ｇ１がはめ込まれている。撮影画像Ｇ１には、利用者の上半身が撮影された写真画像（アップ画像）が用いられ、それぞれ、画像処理、編集処理が行なわれている。
【００７５】
本実施の形態では、図５中の矢印に示した方向に、利用者の頭部（顔）側が位置するように、画像が配置されている。これは、装飾模様であるスマートフォンの向き（上下方向（スピーカーが上、マイクが下））に合わせて、撮影画像の向き（頭部（顔）側が上）が合うように各区画に撮影画像が合せられている。
【００７６】
第１区画群に属する第１区画１１、第２区画１２、および、第６区画１６の区画に印刷される撮影画像の向きに対して、第２区画群に属する第３区画１３、第４区画１４、および、第５区画１５の区画に印刷される撮影画像の向きは、左方向に９０度回転して印刷されている。
【００７７】
なお、本実施の形態では、利用者の上半身が撮影された写真画像がはめ込められていない第７区画１７が設けられている。この第７区画１７は、第１区画１１から第６区画１６に対して半分の大きさであり、短辺１７ａ、半分の長さの長辺１７ｂ，１７ｄ、および、半分の大きさの装飾模様Ｍ１が印刷されている。
【００７８】
このように本実施の形態における写真プリント、写真プリントの製造装置、および、写真プリント作成方法によれば、第１区画１１から第６区画１６の中には、一方の上記区画の辺を仮想的に延長した仮想直線ＶＬ上に、他方の区画の辺が重ならないように配置される少なくとも２つの区画が含まれている。これにより、各辺が同一の仮想直線ＶＬ上に配置される場合に比べて、各区画の配置がランダムとなる。
【００７９】
その結果、さまざまな画像が組み合わされた状態（コラージュ）で一枚の写真プリント用紙に印刷されることから、これまでの写真プリントにはない斬新性、意外性が高められ、写真プリントのデザイン性の向上を図ることを可能としている。
【００８０】
特に、本実施の形態においては、写真プリント用紙１１Ａの一の辺１１１の延びる方向Ｘに対して平行に各区画の一の辺が配置され、写真プリント用紙１１Ａの一の辺１１１の延びる方向Ｘ、および、この方向Ｘに交差する他の辺１１２の延びる方向Ｙにおいて、第１区画１１から第６区画１６がずれるように配置されている。また、第１区画１１、第２区画１２、および、第６区画１６と、第３区画１３、第４区画１４、および、第５区画１５とにおいて、長辺の向きを異ならせている。
【００８１】
さらに、第１区画１１から第６区画１６のぞれぞれの周囲を取り囲むようにスマートフォンの装飾模様が印刷され、かつ、隣接する区画のスマートフォンの装飾模様の間にも隙間が生じるように、スマートフォンの装飾模様が印刷されている。
【００８２】
これにより、各区画の配置がよりランダムに配置された雰囲気を醸し出すデザインとなることで、これまでの写真プリントにはない斬新性、意外性が高められ、写真プリントのデザイン性の向上を図ることを可能としている。
【００８３】
［実施の形態３］
次に、図１０および図１１を参照して、本実施の形態における写真プリント１２０について説明する。なお、写真プリントの製造装置、および、写真プリント作成方法は、上述の実施の形態と同様であることから、ここでの説明は省略する。
【００８４】
図１０は、本実施の形態における写真プリント１２０の利用者の撮影画像を除く写真プリント１２０の状態を示す図であり、図１１は、本実施の形態における写真プリント１２０の各区画に撮影画像をはめ込んだ、実際の印刷画像が印刷された写真プリントの状態を示す図である。
【００８５】
上記実施の形態２における写真プリント１１０と同一の箇所については、同一の参照番号を付している。相違点としては、上記実施の形態２における写真プリント１１０の第２区画１２、および、第５区画１５に代わり、第２区画２２、および、第５区画２５が用いられている。
【００８６】
また、第２区画２２は、一対の短辺２２ａ，２２ｃと、一対の長辺２２ｂ，２２ｄとを有し、上記実施の形態２における写真プリント１２０の第２区画１２よりも短辺に対する長辺の比が大きく（縦長）設けられている。第５区画２５も第２区画２２と同様に、一対の短辺２５ａ，２５ｃと、一対の長辺２５ｂ，２５ｄとを有し、上記実施の形態２における写真プリント１２０の第２区画１２よりも短辺に対する長辺の比が大きく（縦長）設けられている。
【００８７】
図１１を参照して、第１区画１１、第３区画１３、第４区画１４、および、第６区画１６には、実施の形態２の場合と同様に、利用者の上半身が撮影された写真画像（アップ画像）が用いられた撮影画像Ｇ１がはめ込まれている。一方、第２区画２２および第５区画２５には、利用者の全身が撮影された写真画像（全身画像）が用いられた撮影画像Ｇ２がはめ込まれている。
【００８８】
本実施の形態においては、第１区画１１、第２区画２２、および、第６区画１６が第１区画群に属し、第３区画１３、第４区画１４、および、第５区画２５が、第２区画群に属している。また、スマートフォンの向き（上下方向（スピーカーが上、マイクが下））に合わせて、撮影画像の向き（頭部（顔）側が上）が合うように各区画に撮影画像Ｇ１，Ｇ２が合せられているとともに、第１区画群に属する各区画に印刷される撮影画像の向きに対して、第２区画群に属する各区画に印刷される撮影画像の向きは、左方向に９０度回転して印刷されている。
【００８９】
本実施の形態における写真プリント、写真プリントの製造装置、および、写真プリント作成方法によっても、上記実施の形態１および２と同様の作用効果を得ることができる。さらに、本実施の形態においては、縦横比の異なる区画を混在させるとともに、配置の向きを異ならせることで、より各区画の配置がランダムとなり、写真プリントのデザイン性の向上を図ることを可能としている。
【００９０】
［実施の形態４］
次に、図１２および図１３を参照して、本実施の形態における写真プリント１３０について説明する。なお、写真プリントの製造装置、および、写真プリント作成方法は、上述の実施の形態と同様であることから、ここでの説明は省略する。
【００９１】
図１２は、本実施の形態における写真プリント１３０の利用者の撮影画像を除く写真プリント１３０の状態を示す図であり、図１３は、本実施の形態における写真プリント１３０の各区画に撮影画像をはめ込んだ、実際の印刷画像が印刷された写真プリントの状態を示す図である。
【００９２】
上記実施の形態２における写真プリント１１０と同一の箇所については、同一の参照番号を付している。相違点としては、上記実施の形態２における写真プリント１１０の第２区画１２、第４区画１４、および、第６区画１６に代わり、第２区画２２、第４区画２４、および、第６区画２６が用いられている。
【００９３】
第２区画２２は、一対の短辺２２ａ，２２ｃと、一対の長辺２２ｂ，２２ｄとを有し、上記実施の形態２における写真プリント１２０の第２区画１２よりも短辺に対する長辺の比が大きく（縦長）設けられている。第４区画２４も第２区画２２と同様に、一対の短辺２４ａ，２４ｃと、一対の長辺２４ｂ，２４ｄとを有し、上記実施の形態２における写真プリント１１０の第２区画１２よりも短辺に対する長辺の比が大きく（縦長）設けられている。第６区画２６も第２区画２２と同様に、一対の短辺２６ａ，２６ｃと、一対の長辺２６ｂ，２６ｄとを有し、上記実施の形態２における写真プリント１１０の第６区画１６よりも短辺に対する長辺の比が大きく（縦長）設けられている。
【００９４】
図１３を参照して、第１区画１１、第３区画１３、および、第５区画１５には、実施の形態２の場合と同様に、利用者の上半身が撮影された写真画像（アップ画像）が用いられた撮影画像Ｇ１がはめ込まれている。一方、第２区画２２、第４区画２４、および、第６区画２６には、利用者の全身が撮影された写真画像（全身画像）が用いられた撮影画像Ｇ２がはめ込まれている。
【００９５】
本実施の形態においては、第１区画１１、第２区画２２、および、第６区画２６が第１区画群に属し、第３区画１３、第４区画２４、および、第５区画１５が、第２区画群に属している。また、スマートフォンの向き（上下方向（スピーカーが上、マイクが下））に合わせて、撮影画像の向き（頭部（顔）側が上）が合うように各区画に撮影画像Ｇ１，Ｇ２が合せられているとともに、第１区画群に属する各区画に印刷される撮影画像の向きに対して、第２区画群に属する各区画に印刷される撮影画像の向きは、左方向に９０度回転して印刷されている。
【００９６】
本実施の形態における写真プリント、写真プリントの製造装置、および、写真プリント作成方法によっても、上記実施の形態１および２と同様の作用効果を得ることができる。さらに、本実施の形態においては、縦横比の異なる区画を混在させるとともに、配置の向きを異ならせることで、より各区画の配置がランダムとなり、写真プリントのデザイン性の向上を図ることを可能としている。
【００９７】
［実施の形態５］
次に、図１４を参照して、本実施の形態における写真プリント１４０について説明する。なお、写真プリントの製造装置、および、写真プリント作成方法は、上述の実施の形態と同様であることから、ここでの説明は省略する。
【００９８】
本実施の形態における写真プリント１４０は、図１１に示した実施の形態３における写真プリント１２０の変形例である。図１１に示した実施の形態３における写真プリント１２０においては、各区画のぞれぞれの周囲を取り囲むようにスマートフォンの装飾模様が印刷された場合について説明しているが、本実施の形態では、スマートフォンの装飾模様に代わり切手の装飾模様が付されている。
【００９９】
この実施の形態においても、実施の形態３と同様の作用効果を得ることができる。なお、図９に示した写真プリント１１０および図１３に示した写真プリント１３０に対しても、スマートフォンの装飾模様に代わり切手の装飾模様を付してもよい。
【０１００】
［実施の形態６］
次に、図１５を参照して、本実施の形態における写真プリント１５０について説明する。なお、写真プリントの製造装置、および、写真プリント作成方法は、上述の実施の形態と同様であることから、ここでの説明は省略する。
【０１０１】
本実施の形態における写真プリント１５０は、図１１に示した実施の形態３における写真プリント１２０の変形例である。図１１に示した実施の形態３における写真プリント１２０においては、各区画のぞれぞれの周囲を取り囲むようにスマートフォンの装飾模様が印刷された場合について説明しているが、本実施の形態では、スマートフォンの装飾模様に代わりモニタ（テレビ）の装飾模様が付されている。
【０１０２】
この実施の形態においても、実施の形態３と同様の作用効果を得ることができる。なお、図９に示した写真プリント１１０および図１３に示した写真プリント１３０に対しても、モニタの装飾模様に代わり切手の装飾模様を付してもよい。
【０１０３】
上記各実施の形態において、写真プリント用紙として長方形形状を用いた場合について説明しているが、正方形を含む矩形形状、多角形形状、円形形状、その他楕円形形状を用いてもよい。
【０１０４】
［実施の形態７］
次に、図１６を参照して、本実施の形態における写真プリント１６０について説明する。なお、写真プリントの製造装置、および、写真プリント作成方法は、上述の実施の形態と同様であることから、ここでの説明は省略する。
【０１０５】
図１６は、本実施の形態における写真プリント１６０の各区画に撮影画像をはめ込んだ、実際の印刷画像が印刷された写真プリントの状態を示す図である。
【０１０６】
上記実施の形態２における写真プリント１１０（図９参照）と同一の箇所については、同一の参照番号を付している。上記実施の形態２における写真プリント１１０との相違点は、区画以外に写真プリント用紙１１Ａに印刷される文字（ＭＹ  ＧＲＡＭ）の印刷位置、および、各区画の配置位置を異ならせている。実施の形態では、写真プリント用紙１１Ａの下方に印刷されている。
【０１０７】
また、第１区画１１から第６区画１６においては、上述した実施の形態と同様に、一方の区画の辺を仮想的に延長した仮想直線上に、他方の区画の辺が重ならないように配置される、少なくとも２つの区画が含まれている。
【０１０８】
さらに、第１区画１１、第２区画１２、および、第６区画１６が第１区画群に属し、第３区画１３、第４区画１４、および、第５区画１５が、第２区画群に属している。また、スマートフォンの向き（上下方向（スピーカーが上、マイクが下））に合わせて、撮影画像の向き（頭部（顔）側が上）が合うように各区画に撮影画像Ｇ１が合せられているとともに、第１区画群に属する各区画に印刷される撮影画像の向きに対して、第２区画群に属する各区画に印刷される撮影画像の向きは、左方向に９０度回転して印刷されている。
【０１０９】
本実施の形態における写真プリント、写真プリントの製造装置、および、写真プリント作成方法によっても、上記各実施の形態と同様の作用効果を得ることができる。なお、本実施の形態の構成を、他の実施の形態に組み合わせてもよい。
【０１１０】
［実施の形態８］
次に、図１７を参照して、本実施の形態における写真プリント１７０について説明する。なお、写真プリントの製造装置、および、写真プリント作成方法は、上述の実施の形態と同様であることから、ここでの説明は省略する。
【０１１１】
図１７は、本実施の形態における写真プリント１７０の各区画に撮影画像をはめ込んだ、実際の印刷画像が印刷された写真プリントの状態を示す図である。
【０１１２】
上記実施の形態２における写真プリント１１０（図９参照）と同一の箇所については、同一の参照番号を付している。上記実施の形態２における写真プリント１１０との相違点は、区画以外に写真プリント用紙１１Ａに印刷される文字（ＭＹ  ＧＲＡＭ）の印刷位置、および、各区画の配置位置を異ならせている。本実施の形態では、写真プリント用紙１１Ａの右上に印刷されている。
【０１１３】
また、第１区画１１から第６区画１６においては、上述した実施の形態と同様に、一方の区画の辺を仮想的に延長した仮想直線上に、他方の区画の辺が重ならないように配置される、少なくとも２つの区画が含まれている。
【０１１４】
さらに、第１区画１１、第２区画１２、および、第６区画１６が第１区画群に属し、第３区画１３、第４区画１４、および、第５区画１５が、第２区画群に属している。また、スマートフォンの向き（上下方向（スピーカーが上、マイクが下））に合わせて、撮影画像の向き（頭部（顔）側が上）が合うように各区画に撮影画像Ｇ１が合せられているとともに、第１区画群に属する各区画に印刷される撮影画像の向きに対して、第２区画群に属する各区画に印刷される撮影画像の向きは、右方向に９０度回転して印刷されている。
【０１１５】
本実施の形態における写真プリント、写真プリントの製造装置、および、写真プリント作成方法によっても、上記各実施の形態と同様の作用効果を得ることができる。なお、本実施の形態の構成を、他の実施の形態に組み合わせてもよい。
【０１１６】
［実施の形態９］
次に、図１８を参照して、本実施の形態における写真プリント１８０について説明する。なお、写真プリントの製造装置、および、写真プリント作成方法は、上述の実施の形態と同様であることから、ここでの説明は省略する。
【０１１７】
図１８は、本実施の形態における写真プリント１８０の各区画に撮影画像をはめ込んだ、実際の印刷画像が印刷された写真プリントの状態を示す図である。
【０１１８】
また、第１区画１１から第６区画１６においては、上述した実施の形態と同様に、一方の区画の辺を仮想的に延長した仮想直線上に、他方の区画の辺が重ならないように配置される、少なくとも２つの区画が含まれている。
【０１１９】
さらに、第１区画１１、第２区画１２、および、第６区画１６が第１区画群に属し、第３区画１３、第４区画１４、および、第５区画１５が、第２区画群に属している。また、スマートフォンの向き（上下方向（スピーカーが上、マイクが下））に合わせて、撮影画像の向き（頭部（顔）側が上）が合うように各区画に撮影画像Ｇ１が合せられている。
【０１２０】
また、第１区画群に属する各区画に印刷される撮影画像の向きに対して、第２区画群に属する各区画に印刷される撮影画像の向きは、左または右方向に９０度回転して印刷されている。
【０１２１】
さらに、第１区画群の中においても、第１区画１１と第２区画１２および第６区画１６とに印刷される撮影画像の向きは相互に１８０度回転しており、第３区画１３および第５区画１５と第４区画１４とに印刷される撮影画像の向きは相互に１８０度回転している。
【０１２２】
本実施の形態における写真プリント、写真プリントの製造装置、および、写真プリント作成方法によっても、上記各実施の形態と同様の作用効果を得ることができる。なお、本実施の形態の構成を、他の実施の形態に組み合わせてもよい。
【０１２３】
［実施の形態１０］
次に、図１９を参照して、本実施の形態における写真プリント１９０について説明する。なお、写真プリントの製造装置、および、写真プリント作成方法は、上述の実施の形態と同様であることから、ここでの説明は省略する。
【０１２４】
図１９は、本実施の形態における写真プリント１９０の各区画に撮影画像をはめ込んだ、実際の印刷画像が印刷された写真プリントの状態を示す図である。
【０１２５】
上記実施の形態２における写真プリント１１０（図９参照）と同一の箇所については、同一の参照番号を付している。上記実施の形態２における写真プリント１１０との相違点は、第２区画１２から第６区画１６に印刷される撮影画像に対して大きく拡大された撮影画像が第１区画３１にはめ込まれている点にある。
【０１２６】
また、第１区画３１、第２区画１２から第６区画１６においては、上述した実施の形態と同様に、一方の区画の辺を仮想的に延長した仮想直線上に、他方の区画の辺が重ならないように配置される、少なくとも２つの区画が含まれている。
【０１２７】
第１区画３１、第２区画１２、および第６区画１６は、第１区画群に属し、第３区画１３、第４区画１４、および、第５区画１５は、第２区画群に属している。
【０１２８】
本実施の形態における写真プリント、写真プリントの製造装置、および、写真プリント作成方法によっても、上記各実施の形態と同様の作用効果を得ることができる。なお、本実施の形態の構成を、他の実施の形態に組み合わせてもよい。
【０１２９】
［実施の形態１１］
次に、図２０を参照して、本実施の形態における写真プリント２００について説明する。なお、写真プリントの製造装置、および、写真プリント作成方法は、上述の実施の形態と同様であることから、ここでの説明は省略する。
【０１３０】
図２０は、本実施の形態における写真プリント２００の各区画に撮影画像をはめ込んだ、実際の印刷画像が印刷された写真プリントの状態を示す図である。
【０１３１】
上記実施の形態１０における写真プリント１９０と同一の箇所については、同一の参照番号を付している。上記実施の形態１０における写真プリント１９０との相違点は、区画の数量が５区画であり、中央に拡大された第１区画３１を配置している点にある。
【０１３２】
また、第１区画３１、第２区画１２、第３区画１３、第４区画１４、および、第６区画１６においては、上述した実施の形態と同様に、一方の区画の辺を仮想的に延長した仮想直線上に、他方の区画の辺が重ならないように配置される、少なくとも２つの区画が含まれている。
【０１３３】
第１区画３１、第２区画１２、および第６区画１６は、第１区画群に属し、第３区画１３および第４区画１４は、第２区画群に属している。
【０１３４】
本実施の形態における写真プリント、写真プリントの製造装置、および、写真プリント作成方法によっても、上記各実施の形態と同様の作用効果を得ることができる。なお、本実施の形態の構成を、他の実施の形態に組み合わせてもよい。
【０１３５】
［実施の形態１２］
次に、図２１を参照して、本実施の形態における写真プリント２１０について説明する。なお、写真プリントの製造装置、および、写真プリント作成方法は、上述の実施の形態と同様であることから、ここでの説明は省略する。
【０１３６】
図２１は、本実施の形態における写真プリント２１０の各区画に撮影画像をはめ込んだ、実際の印刷画像が印刷された写真プリントの状態を示す図である。
【０１３７】
本実施の形態においては、７つの区画を用いている。また、第１区画１１から第７区画１７においては、上述した実施の形態と同様に、一方の区画の辺を仮想的に延長した仮想直線上に、他方の区画の辺が重ならないように配置される、少なくとも２つの区画が含まれている。
【０１３８】
第１区画１１、第２区画１２、および第６区画１６は、第１区画群に属し、第３区画１３、第４区画１４、第５区画１５、および、第７区画１７は、第２区画群に属している。
【０１３９】
また、第１区画群に属する各区画（第１区画１１、第２区画１２、第６区画１６）の中において印刷される撮影画像の向きが異なっている（第１区画１１の撮影画像の向きに対して、第２区画１２の撮影画像の向きは１８０度異なる）。同様に、第２区画群に属する各区画（第３区画１３、第４区画１４、第５区画１５、第７区画１７）の中においても印刷される撮影画像の向きが異なっている（第３区画１３の撮影画像の向きに対して、第７区画１７の撮影画像の向きは１８０度異なる）。
【０１４０】
本実施の形態における写真プリント、写真プリントの製造装置、および、写真プリント作成方法によっても、上記各実施の形態と同様の作用効果を得ることができる。なお、本実施の形態の構成を、他の実施の形態に組み合わせてもよい。
【０１４１】
［実施の形態１３］
次に、図２２を参照して、本実施の形態における写真プリント２２０について説明する。なお、写真プリントの製造装置、および、写真プリント作成方法は、上述の実施の形態と同様であることから、ここでの説明は省略する。
【０１４２】
図２２は、本実施の形態における写真プリント２２０の各区画に撮影画像をはめ込んだ、実際の印刷画像が印刷された写真プリントの状態を示す図である。
【０１４３】
本実施の形態においては、写真プリント用紙１１Ａの左側に、隣接する区画の装飾模様Ｍ１の間にも隙間が生じるように、装飾模様Ｍ１が印刷されており、写真プリント用紙１１Ａの右側の領域には、撮影画像Ｇ１のみが隙間を設けることなく整然と配置された状態で印刷されている。
【０１４４】
写真プリント用紙１１Ａの左側の５つの区画において、第１区画１１から第５区画１５においては、上述した実施の形態と同様に、一方の区画の辺を仮想的に延長した仮想直線上に、他方の区画の辺が重ならないように配置される、少なくとも２つの区画が含まれている。
【０１４５】
また、第１区画１１および第２区画１２は、第１区画群に属し、第３区画１３から第５区画１５は、第２区画群に属している。
【０１４６】
また、第１区画群に属する各区画（第１区画１１、第２区画１２）の中において印刷される撮影画像の向きが異なっている（第１区画１１の撮影画像の向きに対して、第２区画１２の撮影画像の向きは１８０度異なる）。同様に、第２区画群に属する各区画（第３区画１３、第４区画１４、第５区画１５）の中においても印刷される撮影画像の向きが異なっている（第３区画１３の撮影画像の向きに対して、第４区画１４および第５区画１５の撮影画像の向きは１８０度異なる）。
【０１４７】
本実施の形態における写真プリント、写真プリントの製造装置、および、写真プリント作成方法によっても、上記各実施の形態と同様の作用効果を得ることができる。なお、本実施の形態の構成を、他の実施の形態に組み合わせてもよい。
【０１４８】
［実施の形態１４］
次に、図２３を参照して、本実施の形態における写真プリント２３０について説明する。なお、写真プリントの製造装置、および、写真プリント作成方法は、上述の実施の形態と同様であることから、ここでの説明は省略する。
【０１４９】
図２３は、本実施の形態における写真プリント２３０の各区画に撮影画像をはめ込んだ、実際の印刷画像が印刷された写真プリントの状態を示す図である。
【０１５０】
上記各実施の形態において用いた写真プリント用紙１１Ａは、横方向に長い長方形形状の用紙を用いていた。たとえば、具体的な寸法としては、長辺１１１の長さ（Ｗ）は、約１１６ｍｍ、短辺１１２の長さ（Ｈ）は約７６ｍｍである。
【０１５１】
一方、本実施の形態において用いる写真プリント用紙１１Ｂは、縦方向に長い長方形形状の用紙を用いている。たとえば、具体的な寸法としては、長辺１１１の長さ（２×Ｈ）は、約１５２ｍｍ、短辺１１２の長さ（Ｗ÷２）は約５８ｍｍである。
【０１５２】
写真プリント用紙１１Ａおよび写真プリント用紙１１Ｂは、同じロール紙から切り出しているが、その切り出し方が異なっている。この点については、後述の実施の形態１５において説明する。
【０１５３】
本実施の形態における写真プリント２３０においては、第１区画１１から第６区画１６においては、上述した実施の形態と同様に、一方の区画の辺を仮想的に延長した仮想直線上に、他方の区画の辺が重ならないように配置される、少なくとも２つの区画が含まれている。
【０１５４】
また、第１区画１１、第２区画１２、および第６区画１６は、第１区画群に属し、第３区画１３から第５区画１５は、第２区画群に属している。
【０１５５】
また、第１区画群に属する各区画（第１区画１１、第２区画１２、第６区画１６）の中において印刷される撮影画像の向きが異なっている（第１区画１１の撮影画像の向きに対して、第６区画１６の撮影画像の向きは１８０度異なる）。同様に、第２区画群に属する各区画（第３区画１３、第４区画１４、第５区画１５）の中においても印刷される撮影画像の向きが異なっている（第３区画１３の撮影画像の向きに対して、第５区画１５の撮影画像の向きは１８０度異なる）。
【０１５６】
本実施の形態における写真プリント、写真プリントの製造装置、および、写真プリント作成方法によっても、上記各実施の形態と同様の作用効果を得ることができる。なお、本実施の形態の構成を、他の実施の形態に組み合わせてもよい。
【０１５７】
なお、上記実施の形態７の写真プリント１６０から実施の形態１４の写真プリント２３においては、撮影画像として上半身が撮影された写真画像（アップ画像）を用いた場合について説明しているが、実施の形態３の写真プリント１２０（図１１参照）および実施の形態４の写真プリント１３０（図１３参照）に示したように、撮影画像に、利用者の上半身が撮影された写真画像（アップ画像）と利用者の全身が撮影された写真画像（全身画像）とが混在するようにしてもよい。
【０１５８】
［実施の形態１５］
図２４および図２５を参照して、上述した写真プリント用紙１１Ａおよび写真プリント用紙１１Ｂについて説明する。図２４は、実施の形態１から１３における写真プリントの印刷およびシート排出方向を示す模式図、図２５は、実施の形態１４における写真プリントの印刷およびシート排出方向を示す模式図である。
【０１５９】
図２４を参照して、写真プリント用紙１１Ａは、縦方向長さ（短辺１１２：Ｈ）が約７６ｍｍ、横方向長さ（長辺１１１：Ｗ）が約１５２ｍｍ程度である。写真プリント１１Ａは、送り出されるロール紙の繰り出し方向（図中右方向）に沿って、利用者自らハサミ等を用いて上下２枚に切り分けられた大きさとなる。
【０１６０】
図２５を参照して、写真プリント用紙１１Ｂは、縦方向長さ（長辺１１１：Ｈ×２）が約１５２ｍｍ、横方向長さ（短辺１１２：Ｗ÷２）が約５８ｍｍ程度である。写真プリント１１Ｂは、送り出されるロール紙の幅がそのまま、写真プリント用紙１１Ｂの縦方向長さとなっている。
【０１６１】
写真プリント１１Ａと写真プリント１１Ｂとは用紙面積が異なり、写真プリント１１Ａの方がよりランダムに配置された雰囲気が得られやすく、これまでの写真プリントにはない斬新性、意外性を高め、写真プリントのデザイン性の向上を図ることを可能にする用紙サイズである。
【０１６２】
なお、上記各実施の形態における写真プリントにおいて、底面図には何も印刷されないため図示は省略している。また、背面図は正面図と同一にあらわれ、右側面図は左側面図と同一にあらわれるため、図示は省略する。
【０１６３】
以上、本発明の各実施の形態における写真プリント作成方法および写真プリント作成装置について説明したが、今回開示された実施の形態は全ての点で例示であって制限的なものではないと考えられるべきである。したがって、本発明の範囲は特許請求の範囲によって示され、特許請求の範囲と均等の意味および範囲内での全ての変更が含まれることが意図される。
【符号の説明】
【０１６４】
１  写真プリント作成装置、１１Ａ，１１Ｂ  写真プリント用紙、１１，３１  第１区画、１１ａ，１１ｃ，１２ａ，１２ｃ，１３ａ，１３ｃ，１４ａ，１４ｃ，１５ａ，１５ｃ，１６ａ，１６ｃ，２２ａ，２２ｃ，２５ａ，２５ｃ，２６ａ，２６ｃ  短辺、１１ｂ，１１ｄ，１２ｂ，１２ｄ，１３ｂ，１３ｄ，１４ｂ，１４ｄ，１５ｂ，１５ｄ，１６ｂ，１６ｄ，２２ｂ，２２ｄ，２５ｂ，２５ｄ，２６ｂ，２６ｄ  長辺、１２，２２  第２区画、１３  第３区画、１４  第４区画、１５，２５  第５区画、１６，２６  第６区画、１７  第７区画、１１０，１２０，１３０，１４０，１５０，１６０，１７０，１８０，１９０，２００，２１０，２２０，２３０  写真プリント、２０１  事前接客装置（シール自動販売機用事前利用者操作機）、２１０  コイン投入口、２２０  操作モニタ、２３０  スピーカ、３００  撮影装置（シール自動販売機用撮影機）、３１０  撮影用カメラ、３２０  操作モニタ、３３０，３４０  照明器具、４００  画像編集装置（写真シール自動販売機用画像編集加工印刷機）、４１０  操作モニタ、４２０  タッチペン、５００  事後接客装置（シール自動販売機用事後利用者操作機）、５１０  操作モニタ、５２０  写真シール受取口、６００  プリンタ、１０００  制御装置、１００１  コンピュータ装置、１００２  制御基板、１００３  ＣＰＵ、１００４  ＨＤＤ、１００５  メモリ、１００６  通信部、１０１７  クロマキーキャプチャボード、１１００  発光制御部。
【図１】
2016045246.tif 000003
【図２】
2016045246.tif 000004
【図３】
2016045246.tif 000005
【図４】
2016045246.tif 000006
【図５】
2016045246.tif 000007
【図６】
2016045246.tif 000008
【図７】
2016045246.tif 000009
【図８】
2016045246.tif 000010
【図９】
2016045246.tif 000011
【図１０】
2016045246.tif 000012
【図１１】
2016045246.tif 000013
【図１２】
2016045246.tif 000014
【図１３】
2016045246.tif 000015
【図１４】
2016045246.tif 000016
【図１５】
2016045246.tif 000017
【図１６】
2016045246.tif 000018
【図１７】
2016045246.tif 000019
【図１８】
2016045246.tif 000020
【図１９】
2016045246.tif 000021
【図２０】
2016045246.tif 000022
【図２１】
2016045246.tif 000023
【図２２】
2016045246.tif 000024
【図２３】
2016045246.tif 000025
【図２４】
2016045246.tif 000026
【図２５】
2016045246.tif 000027